(57)【要約】 【課題】  表示品位の向上また、視認性の向上を図ることができるマルチビュー表示装置および抑止手段を提供する。【解決手段】  筐体１１において環状壁部１３（周囲部材）に、出射される表示光を減衰する抑止手段１５を形成し、この抑止手段１５によって、表示面１２ａの外周側端部から出射される表示光が、筐体１１等で反射されることによって生じうる望まない表示（本来表示されるべきでない方向への表示）を未然に抑制する。【選択図】      図１
2006171747.tif 000002
【特許請求の範囲】
【請求項１】
一つの表示手段から複数の視認方向に異なる画像を出力するマルチビュー表示装置において、
一の視認方向に出力すべき画像が、当該表示手段の周囲部材で他の視認方向に反射することを抑止する抑止手段を備えることを特徴とするマルチビュー表示装置。
【請求項２】
前記抑止手段は、前記周囲部材に設けられ、前記表示手段から出射される表示光を減衰する光減衰手段を含むことを特徴とする請求項１記載のマルチビュー表示装置。
【請求項３】
前記抑止手段は、前記周囲部材に設けられ、前記一の視認方向に出力すべき画像を、前記他の視認方向以外の方向に反射させる反射角度変更手段を含むことを特徴とする請求項１または２記載のマルチビュー表示装置。
【請求項４】
前記抑止手段は、前記周囲部材に設けられ、表示光の反射率を低下させる層を含むことを特徴とする請求項１〜３のいずれか１つに記載のマルチビュー表示装置。
【請求項５】
前記抑止手段は、前記周囲部材に設けられ、前記表示手段から出射される表示光を光の干渉を利用して打ち消し合う反射防止膜を含むことを特徴とする請求項１〜４のいずれか１つに記載のマルチビュー表示装置。
【請求項６】
前記抑止手段は、前記周囲部材に設けられ、前記表示手段の外周側端部から発せられる表示光を乱反射する光源を含むことを特徴とする請求項１記載のマルチビュー表示装置。
【請求項７】
前記抑止手段は前記周囲部材を含む筐体であり、該筐体は、前記表示手段から出力される表示光が前記周囲部材に至ることを回避するように構成されることを特徴とする請求項１〜６のいずれか１つに記載のマルチビュー表示装置。
【請求項８】
一つの表示手段から複数の視認方向に異なる画像を出力するマルチビュー表示装置に、取付け可能または着脱可能に構成される抑止手段であって、
一の視認方向に出力すべき画像が、当該表示手段の周囲部材で他の視認方向に反射することを抑止する機能を有することを特徴とする抑止手段。
【発明の詳細な説明】
【技術分野】
【０００１】
本発明は、一つの表示手段から複数方向に異なる画像を出力するマルチビュー表示装置および抑止手段に関する。
【背景技術】
【０００２】
同一ディスプレイ画面上において、異なる方向にそれぞれ異なる画像を出力する画像表示装置が提案されている（たとえば特許文献１参照）。この画像表示装置をたとえば車両に搭載した場合には、運転席方向、助手席方向にそれぞれ別画像を出力可能になっている。運転席からディスプレイを見るとき、該ディスプレイから助手席方向への画像（Ｐ画像と称す）は本来見えないような角度で出力される。助手席から前記ディスプレイを見るときには、該ディスプレイから運転席方向への画像（Ｄ画像と称す）は本来見えないような角度で出力されるようになっている。
【０００３】
【特許文献１】特開２００４−２０６０８９号公報
【発明の開示】
【発明が解決しようとする課題】
【０００４】
従来のものでは、たとえば運転席からディスプレイを見たとき、Ｐ画像の一部が不所望に見える場合がある。逆に助手席から前記ディスプレイを見たとき、Ｄ画像の一部が不所望に見える場合がある。これは表示面の外周側端部から発せられる光が、図１１に示すように、前記外周側端部に近接する筐体壁面１に反射して出力すべき方向が変えられ、本来見えない方向に見えないはずの画像の一部が見えてしまうためである。両方の観察者にそれぞれ別の表示を観察させているのにも関わらず、他方の表示が見えてしまい、さらには重畳された表示となり表示品位を低下させるという問題がある。
【０００５】
本発明の目的は、表示品位の向上また、視認性の向上を図ることができるマルチビュー表示装置および抑止手段を提供することである。
【課題を解決するための手段】
【０００６】
本発明は、一つの表示手段から複数の視認方向に異なる画像を出力するマルチビュー表示装置において、
一の視認方向に出力すべき画像が、当該表示手段の周囲部材で他の視認方向に反射することを抑止する抑止手段を備えることを特徴とするマルチビュー表示装置である。
【０００７】
また本発明は、前記抑止手段は、前記周囲部材に設けられ、前記表示手段から出射される表示光を減衰する光減衰手段を含むことを特徴とする。
【０００８】
また本発明は、前記抑止手段は、前記周囲部材に設けられ、前記一の視認方向に出力すべき画像を、前記他の視認方向以外の方向に反射させる反射角度変更手段を含むことを特徴とする。
【０００９】
また本発明は、前記抑止手段は、前記周囲部材に設けられ、表示光の反射率を低下させる層を含むことを特徴とする。
【００１０】
また本発明は、前記抑止手段は、前記周囲部材に設けられ、前記表示手段から出射される表示光を光の干渉を利用して打ち消し合う反射防止膜を含むことを特徴とする。
【００１１】
また本発明は、前記抑止手段は、前記周囲部材に設けられ、前記表示手段の外周側端部から発せられる表示光を乱反射する光源を含むことを特徴とする。
【００１２】
また本発明は、前記抑止手段は前記周囲部材を含む筐体であり、該筐体は、前記表示手段から出力される表示光が前記周囲部材に至ることを回避するように構成されることを特徴とする。
【００１３】
また本発明は、一つの表示手段から複数の視認方向に異なる画像を出力するマルチビュー表示装置に、取付け可能または着脱可能に構成される抑止手段であって、
一の視認方向に出力すべき画像が、当該表示手段の周囲部材で他の視認方向に反射することを抑止する機能を有することを特徴とする抑止手段である。
【発明の効果】
【００１４】
本発明によれば、抑止手段によって、表示手段から出射される表示光が、筐体等で反射されることによって生じうる望まない表示（たとえば、本来表示されるべきでない方向への表示）を未然に抑制することが可能となり、表示品位の保持また視認性の向上を図ることが可能となる。
【００１５】
また本発明によれば、周囲部材に設けられる光減衰手段によって、表示手段から出射される表示光が前記周囲部材等で反射されること自体を防ぐことが可能となる。つまり表示面の外周側端部から出射され周囲部材等に至る光を減衰することが可能となる。
【００１６】
また本発明によれば、反射角度変更手段によって、出射される表示光を任意の方向に反射させることで、反射される表示光の視認可能位置および方向を、固定することなく拡張することができる。このように表示光を出力する方向に自由性をもたせることができる。
【００１７】
また本発明によれば、周囲部材に設けられる層であって、光の反射率を低下させる層によって、表示手段から出射される表示光が前記周囲部材で反射されることを極力防ぐことが可能となる。表示光が出力すべき方向を変えられてしまうことを防止し、本来見えない方向に見えないはずの画像の一部が見えてしまう不具合を解消することができる。
【００１８】
また本発明によれば、出射される表示光から反射防止膜に至る光を、光の干渉作用によって打ち消しあうことが可能となる。つまり表示面の外周側端部から出射され周囲部材等に至る光を、打ち消すことが可能となる。
【００１９】
また本発明によれば、周囲部材に設けられる光源によって、外周側端部から発せられる表示光を乱反射することで、本来表示されるべきでない方向へ表示光が出力されることを緩和することができる。
【００２０】
また本発明によれば、周囲部材を含む筐体によって、表示手段から出力される表示光が前記周囲部材に至ること自体を回避する。このように筐体を構成することで、本来表示されるべきでない方向への表示を未然に抑制することが可能となる。したがってマルチビュー表示装置の構造を簡単化することが可能となる。
【００２１】
また本発明によれば、周囲部材で他の視認方向に反射することを抑止する抑止手段が、マルチビュー表示装置に、取付け可能または着脱可能に構成されるので、組み立て作業が容易となり、また取付けの自由性をもたせることが可能となる。
【発明を実施するための最良の形態】
【００２２】
以下、図面を参照しながら本発明を実施するための形態を、複数の形態について説明す
る。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００２３】
図１は、本発明の第１の実施形態に係るマルチビュー表示装置１０を示し、図１（ａ）はマルチビュー表示装置１０の概略図、図１（ｂ）はマルチビュー表示装置１０の要部の拡大断面図、図１（ｃ）は第１の実施形態を部分的に変更した変更形態の要部の拡大断面図である。本実施形態に係るマルチビュー表示装置１０は、車両に搭載される。ただしマルチビュー表示装置１０は、車両用に必ずしも限定されるものではなく、車両用以外の電子機器にも適用可能である。
【００２４】
第１の実施形態に係るマルチビュー表示装置１０（第１表示装置１０と称す）は、筐体１１と、この筐体１１に支持されるディスプレイ本体１２（単にディスプレイ１２という場合がある）とを含む。表示手段であるディスプレイ本体１２は、たとえば液晶表示パネル、タッチパネル、光遮蔽パネル、バックライトおよび偏光板等によって実現される。筐体１１はたとえば合成樹脂から成る略直方体形状のケースである。ただし前記筐体１１は必ずしも合成樹脂製に限定されるものではなく、合成樹脂以外の非金属または金属から成るものであってもよい。また筐体１１は必ずしも略直方体形状に限定されない。筐体１１には、ディスプレイ本体１２の表面部１２ａ（表示面１２ａ）の大部分を外方に露出する開口部が形成されている。ここで筐体１１の長手方向をｘ方向と定義し、筐体１１の奥行き方向つまりディスプレイ本体１２の厚み方向をｚ方向と定義する。これらｘ方向およびｚ方向に直交する方向をｙ方向と定義する。図１において、ｘ，ｙ，ｚ方向をそれぞれｘ，ｙ，ｚと表記する。本第１表示装置１０のｚ方向一方において、ｘ方向一方に運転者がｘ方向他方に乗員が離隔して着座した状態で、ディスプレイ１２から出力される画像を視認可能になっている。
【００２５】
図１（ａ）に示すように、筐体１１は、前記開口部を成す環状壁部１３と、ディスプレイ本体１２の裏面部（非表示面）を覆う背面壁部１４とを備え、環状壁部１３および背面壁部１４は一体的に形成されている。筐体１１において前記環状壁部１３（周囲部材）には、抑止手段としての複数の凹凸１５が形成されている。前記凹凸１５を「しぼ」という場合もある。複数の凹凸１５は、ｘ方向一方および他方に対向状に形成されるうえ、ｙ方向一方および他方に対向状に形成される。つまり環状壁部１３のうち、表示面１２ａの外周側端部に近接しかつ外方に臨むｙｚ平面およびｘｚ平面に、複数の凹凸１５が形成される。複数の凹凸１５は各平面において同一形態であるので、ｘ方向一方のｙｚ平面に形成される凹凸１５について説明し、その他の平面に形成される凹凸１５についてはその説明を省略する。
【００２６】
本実施形態においては、環状壁部１３のｙｚ平面およびｘｚ平面に複数の凹凸１５が形成されているが、必ずしもこの形態に限定されるものではない。たとえば環状壁部１３のｙｚ平面のみに複数の凹凸１５が形成される場合もある。ただし、第１表示装置１０の支持形態が変更され、該第１表示装置のｙ方向一方および他方に複数の視認者が存在する場合では、ｘｚ平面のみに複数の凹凸１５が形成される場合もある。図１（ｂ）に示すように、複数の凹凸１５はｚ方向に連続して連なり、これら凹凸１５のうち各凹所はｘ方向一方に凹む湾曲状に形成され、各凸部はｘ方向他方に所定小距離突出するように形成されている。筐体１１の環状壁部１３において、ｚ方向先端側における凸部から、ｚ方向一方に向かうに従ってｘ方向一方に傾斜する傾斜部１３ａが形成されている。
【００２７】
前記表示面１２ａの外周側端部から矢符Ｄ１で表記する運転席方向へ出射される表示光
は、各凹所内で反射して減衰する。なお図示しないが、前記表示面１２ａの外周側端部から矢符Ｐ１で表記する助手席方向へ出射される表示光は、ｘ方向他方のｙｚ平面の各凹所内で反射して減衰するようになっている。つまり複数の凹凸１５が光減衰手段に相当する。
【００２８】
以上説明した第１表示装置１０によれば、複数の凹凸１５によって、前記表示面１２ａの外周側端部から出射される表示光が、筐体１１等で反射されることによって生じうる望まない表示（本来表示されるべきでない方向への表示）を未然に抑制することが可能となり、表示品位の保持また視認性の向上を図ることが可能となる。また図１（ｃ）に示すように、前記環状壁部１３のうち複数の凹凸１５を含む部材１５Ａ（パーツ）を、筐体本体１３Ａに取付け可能または着脱可能に構成してもよい。この変更形態によれば、組み立て作業が容易となり、また取付けの自由性をもたせることが可能となる。また筐体本体１３Ａの金型構造を、上述した第１表示装置１０のものよりも簡単化でき、製作コストの低減をさらに図ることが可能となる。
【００２９】
図２は、本発明の第２の実施形態に係るマルチビュー表示装置１０Ａを示し、表示光の反射角度を変更する反射角度変更手段１６等を表す図である。第２の実施形態に係るマルチビュー表示装置１０Ａ（第２表示装置１０Ａと称す）では、筐体１１の環状壁部１３に反射角度変更手段１６が一体的に付設されている。この反射角度変更手段１６は、運転席方向に出力すべき画像を、助手席方向以外の方向に反射させるものであり、助手席方向に出力すべき画像を、運転席方向以外の方向に反射させるものである。反射角度変更手段１６は、環状壁部１３のうち表示面１２ａの外周側端部に近接しかつ外方に臨むｙｚ平面およびｘｚ平面に設けられる。反射角度変更手段１６には、そのｚ方向基端部からｚ方向先端側に向かう従って表示面１２ａの中央側に傾斜するような傾斜角度αの斜面部１６ａが設けられている。この斜面部１６ａの傾斜角度αを適切な角度（αをたとえば４５度）に設定することで、前記表示面１２ａの外周側端部から出射される表示光が、筐体１１等で反射されることによって生じうる望まない表示（本来表示されるべきでない方向への表示）を未然に抑制することが可能となる。ただし傾斜角度αは４５度に限定されない。
【００３０】
以上説明した第２表示装置１０Ａによれば、反射角度変更手段１６によって、表示面１２ａの外周側端部から出射される表示光を任意の方向に強制的に反射させることで、反射される表示光の視認可能位置および方向を、固定することなく拡張することができる。このように表示光を出力する方向に自由性をもたせることができる。その他前記第１表示装置１０と同様の効果を奏する。前記反射角度変更手段１６を筐体本体１３Ａに取付け可能または着脱可能に構成してもよい。この場合には前記変更形態と同様の効果を奏する。
【００３１】
図３は、本発明の第３の実施形態に係るマルチビュー表示装置１０Ｂを示し、他の視認方向に反射することを抑止する抑止手段１７等を表す図である。第３の実施形態に係るマルチビュー表示装置１０Ｂ（第３表示装置１０Ｂと称す）では、抑止手段１７が筐体１１の環状壁部１３に一体的に付設される。前記表示面１２ａの外周側端部から出射される表示光の光出力方向に基づいて、前記抑止手段１７が形成される。つまり前記出射される表示光が、この抑止手段１７に入射せずかつ反射もしないように筐体１１が設計されている。
【００３２】
具体的に抑止手段１７には、そのｚ方向基端部からｚ方向先端側に向かう従ってｘ方向外方側に傾斜するような傾斜角度βの斜面部１７ａが設けられている。この斜面部１７ａの傾斜角度βを適切な角度（βはたとえば５０度以下）に設定することで、表示面１２ａの外周側端部から出射される表示光が、筐体１１等で反射されることによって生じうる望まない表示（本来表示されるべきでない方向への表示）を未然に抑制することが可能となる。ただし傾斜角度βは５０度以下に限定されない。なお第３表示装置１０Ｂでは、表示
品位の保持、視認性の向上に影響を及ぼさない範囲内において、表示面１２ａの外周側端部から出射される表示光が当該抑止手段に反射する場合もある。
【００３３】
図４は、本発明の第４の実施形態に係るマルチビュー表示装置１０Ｃを示し、表示手段と周囲部材との関係を表す図である。第４の実施形態に係るマルチビュー表示装置１０Ｃ（第４表示装置１０Ｃと称す）でも、表示面１２ａの外周側端部から出射される表示光が、抑止手段１８に入射せずかつ反射もしないように筐体１１が設計されている。抑止手段１８は、平坦部１８ａと突起部１８ｂとを含む。これらのうち平坦部１８ａは、環状壁部１３のうち表示面１２ａの外周側端部付近に形成され、該表示面と略面一状でかつ所定小距離平坦となるように形成される。平坦部１８ａの先端部分に突起部１８ｂが連続して形成される。この突起部１８ｂは、平坦部１８ａの先端部分からｚ方向先端側に向かうに従ってｘ方向外方側に次第に（緩やかに）傾斜して湾曲状の凸部を成す。このような抑止手段１８によって、表示面１２ａの外周側端部から出射される表示光が、筐体１１等で反射されることによって生じうる望まない表示（本来表示されるべきでない方向への表示）を未然に抑制することが可能となる。
【００３４】
図５は、本発明の第５の実施形態に係るマルチビュー表示装置１０Ｄを示し、図５（ａ）は、表示面１２ａと面一状に構成して成る周囲部材１９等を表す図、図５（ｂ）は、表示面１２ａよりも低く構成して成る周囲部材２０等を表す図である。本第５の実施形態では、抑止手段は、ディスプレイ本体１２の周囲部材１９（２０）を含む筐体１１であり、該筐体は、ディスプレイ本体１２から出力される画像が前記周囲部材１９（２０）に至ることを回避するように構成される。
【００３５】
図６は、本発明の第６の実施形態に係るマルチビュー表示装置１０Ｅを示し、光の反射率を低下させる層２１ａを含む抑止手段２１等を表す図である。第６の実施形態では、周囲部材に設けられる層２１ａであって、光の反射率を低下させる層２１ａによって、表示面１２ａから出射される表示光が前記周囲部材で反射されることを極力防ぐことが可能となる。表示光が出力すべき方向を変えられてしまうことを防止し、本来見えない方向に見えないはずの画像の一部が見えてしまう不具合を解消することができる。前記反射率を低下させる層２１ａの代わりに、周囲部材に反射防止膜を設け、該反射防止膜によって、表示面１２ａの外周側端部から出射される表示光を光の干渉を利用して打ち消し合うように構成してもよい。この構成によっても同様の効果を奏する。
【００３６】
図７は、本発明の第７の実施形態に係るマルチビュー表示装置１０Ｆを示し、表示面１２ａの外周側端部から発せられる表示光を乱反射する光源２２等を表す図である。周囲部材に設けられる光源２２によって、表示面１２ａの外周側端部から発せられる表示光を乱反射することで、本来表示されるべきでない方向へ表示光が出力されることを、緩和、または表示品位の保持、視認性の向上に影響を及ぼさない範囲内に誤魔化すことができる。前記光源２２に代えて図示外の乱反射部材を適用することも可能である。この場合には、光源２２を含むものに比べて構造を簡単化することができ、製作コストの低減を図ることができる。
【００３７】
図８は、本発明の第８の実施形態に係るマルチビュー表示装置１０Ｇの付属部品を示す図である。第８の実施形態に係るマルチビュー表示装置１０Ｇ（第８表示装置１０Ｇと称す）は、第３表示装置１０Ｂの環状壁部１３に、付属部品であるミラー２３が取付け可能また着脱可能に構成されている。このミラー２３を環状壁部１３に取付けた状態において、当該ミラーはｙ方向軸線まわりに角変位可能に構成されている。このミラー２３によって、表示面１２ａの外周側端部から出射される表示光が、筐体１１等で反射されることによって生じうる望まない表示（本来表示されるべきでない方向への表示）を未然に抑制することが可能となるだけでなく、ミラー２３を必要に応じて角変位させて当該ミラーによ
って、本来表示されるべきでない方向をも視認することが可能となる。なおミラー２３は、ｘ方向一方側または他方側にのみ設けることも可能である。ミラー２３を筐体１１に固定的に設けてもよい。
【００３８】
図９は、本発明の第９の実施形態に係るマルチビュー表示装置１０Ｈを示す図である。第９の実施形態においては、タッチパネル２４の外周側端部に、遮光性のある部材２５が設けられている。本実施形態によれば、タッチパネル２４を設計変更するだけで、表示品位の保持また視認性の向上を図ることが可能となる。よって筐体１１の金型等を変更する必要がなくなり、その分製作コストの低減を図ることが可能となる。
【００３９】
図１０は、本発明の第１０の実施形態に係るマルチビュー表示装置において、その画像表示方法を説明する図である。第１０の実施形態に係るマルチビュー表示装置（第１０表示装置と称す）では、図１０（ａ）および図１０（ｂ）に示すように、表示面１２ａの外周側端部から出射される表示光であって、周囲部分に反射しうる表示光が予め出力しないように運転席方向と助手席方向の画像を表示面１２ａの表示領域２６，２７に各々表示することで、表示品位の保持また視認性の向上を図ることが可能となる。
【図面の簡単な説明】
【００４０】
【図１】本発明の第１の実施形態に係るマルチビュー表示装置１０を示し、図１（ａ）はマルチビュー表示装置１０の概略図、図１（ｂ）はマルチビュー表示装置１０の要部の拡大断面図、図１（ｃ）は第１の実施形態を部分的に変更した変更形態の要部の拡大断面図である。
【図２】本発明の第２の実施形態に係るマルチビュー表示装置１０Ａを示し、表示光の反射角度を変更する反射角度変更手段１６等を表す図である。
【図３】本発明の第３の実施形態に係るマルチビュー表示装置１０Ｂを示し、他の視認方向に反射することを抑止する抑止手段１７等を表す図である。
【図４】本発明の第４の実施形態に係るマルチビュー表示装置１０Ｃを示し、表示手段と周囲部材との関係を表す図である。
【図５】本発明の第５の実施形態に係るマルチビュー表示装置１０Ｄを示し、図５（ａ）は、表示面１２ａと面一状に構成して成る周囲部材１９等を表す図、図５（ｂ）は、表示面１２ａよりも低く構成して成る周囲部材２０等を表す図である。
【図６】本発明の第６の実施形態に係るマルチビュー表示装置１０Ｅを示し、光の反射率を低下させる層２１ａを含む抑止手段２１等を表す図である。
【図７】本発明の第７の実施形態に係るマルチビュー表示装置１０Ｆを示し、表示面１２ａの外周側端部から発せられる表示光を乱反射する光源２２等を表す図である。
【図８】本発明の第８の実施形態に係るマルチビュー表示装置１０Ｇの付属部品を示す図である。
【図９】本発明の第９の実施形態に係るマルチビュー表示装置１０Ｈを示す図である。
【図１０】本発明の第１０の実施形態に係るマルチビュー表示装置において、その画像表示方法を説明する図である。
【図１１】従来の画像表示装置の概略図である。
【符号の説明】
【００４１】
１０〜１０Ｈ  マルチビュー表示装置
１１  筐体
１２  ディスプレイ本体
１２ａ  表示面
１５  凹凸
１５Ａ  部材
１６  反射角度変更手段
１７，１８，２１  抑止手段
１９，２０  周囲部材
２１ａ  層
２２  光源
【図１】
2006171747.tif 000003
【図２】
2006171747.tif 000004
【図３】
2006171747.tif 000005
【図４】
2006171747.tif 000006
【図５】
2006171747.tif 000007
【図６】
2006171747.tif 000008
【図７】
2006171747.tif 000009
【図８】
2006171747.tif 000010
【図９】
2006171747.tif 000011
【図１０】
2006171747.tif 000012
【図１１】
2006171747.tif 000013